(57)【要約】【課題】架空電線にダブルトーショナルダンパー等の防振装置を取り付ける際に、その取り付け角度を正確かつ容易に測定することが可能なダンパー取り付け補助装置を提供する。【解決手段】本発明のダンパー取り付け補助装置１ａは、蝶番２を介して開閉自在に連結される一対の挟持片３，３からなり、架空電線５４を挟持可能に形成される取付具４と、この取付具４に対して掛止可能に一対のフック部９ａ，９ａが一端に設けられた錘片５と、角度を示す数値６ａとともに目盛６ｂが少なくとも片面に設けられた一対の分度器６，６を備えている。【選択図】図１
2018072047.tif 000002
【特許請求の範囲】
【請求項１】
蝶番を介して開閉自在に連結される一対の挟持片からなり、閉じた状態で内側に架空電線を配置可能に形成される取付具と、
この取付具に一端が回動可能に取り付けられる棒状の錘片と、
透明な部材によって形成され、角度を示す目盛が少なくとも片面に設けられ平面視扇形をなす分度器と、を備え、
この分度器は、前記取付具に前記錘片を取り付けた状態で前記蝶番の回動軸と直交するように前記錘片の側面に取り付けられたことを特徴とするダンパー取り付け補助装置。
【請求項２】
前記蝶番の前記回動軸と直交する平面内に中心軸が配置されるように第１の棒状突起が前記取付具の外面に設けられ、
前記錘片は、前記第１の棒状突起に対して掛止可能に第１のフック部が一端に設けられた棒状体からなることを特徴とする請求項１に記載のダンパー取り付け補助装置。
【請求項３】
前記第１のフック部と前記棒状体はそれぞれ別体として形成され、
前記第１のフック部の回動軸と直交する平面内に中心軸が配置されるように第２の棒状突起が前記第１のフック部の外面に設けられ、
前記第２の棒状突起に対して掛止可能に第２のフック部が前記棒状体の前記一端に設けられたことを特徴とする請求項２に記載のダンパー取り付け補助装置。
【請求項４】
前記棒状体に対してスライド自在に前記錘片に外挿される筒体を備え、
前記分度器は前記錘片の代わりに前記筒体の側面に取り付けられたことを特徴とする請求項３に記載のダンパー取り付け補助装置。
【請求項５】
弾性体からなり、前記取付具によって挟持された前記架空電線に対して接触可能に一対の前記挟持片の内面に設置される押さえ具を備えたことを特徴とする請求項１乃至請求項４のいずれか1項に記載のダンパー取り付け補助装置。
【発明の詳細な説明】
【技術分野】
【０００１】
本発明は、架空電線にダブルトーショナルダンパー等の防振装置を取り付ける際に用いられるダンパー取り付け補助装置に係り、特に、防振装置を正確かつ容易に取り付けることが可能なダンパー取り付け補助装置に関する。
【背景技術】
【０００２】
架空送電線は、風によって振動し易く、場合によっては、その振動が元で金属疲労を起こし、破断してしまうことがある。そのため、架空送電線の支持点等の近傍には、ダブルトーショナルダンバーなどの防振装置が取り付けられることが多い。
【０００３】
図８（ａ）及び図８（ｂ）はそれぞれダブルトーショナルダンパー５０の正面図及び側面図であり、図９はダブルトーショナルダンパー５０が架空電線５４に取り付けられた状態を模式的に示した図である。
図８（ａ）に示すように、ダブルトーショナルダンパー５０は、架空電線５４を把持するクランプ５１と、このクランプ５１に中央部が固着される抑止線５２と、この抑止線５２の両端にそれぞれ固着される一対の重錘５３，５３と、を備えている。
【０００４】
風によって架空電線５４にカルマン渦の振動が発生すると、この振動はクランプ５１を介して抑止線５２と重錘５３，５３に伝わる。そして、抑止線５２と重錘５３，５３には、カルマン渦とは位相や周期が異なり、カルマン渦による振動を打ち消すような新たな振動が発生する。
その結果、架空電線５４の経時的な金属疲労が緩和される。そして、このような作用が最も有効に発揮されるためには、図８（ｂ）に示すように、ダブルトーショナルダンパー５０が架空電線５４に対して所定の角度（後述する本発明の実施例の場合には６０°）をなすように正確に取り付けられることが必要である。
【０００５】
図９に示すように、鉄塔５５に掛け渡された状態の電線（架空電線５４）に対してダブルトーショナルダンパー５０を取り付ける場合、架空電線５４の周囲には基準となるものが何もないため、架空電線５４に対してダブルトーショナルダンパー５０を所定の角度で正確に取り付けることは難しい。通常、作業員はダブルトーショナルダンパー５０の取り付けを宙乗機（図示せず）から架空電線５４の方へ身を乗り出すようにして行うことが多い。この場合、架空電線５４が動揺し易く、ダブルトーショナルダンパー５０の取り付け角度が安定しないため、ダブルトーショナルダンパー５０の取り付け作業は一層困難となる。
【０００６】
ダブルトーショナルダンパー５０の取り付け作業に関するものではないが、角度の基準となるものを電線やケーブルに取り付けるなどして、それらの設置工事を行うことについては、これまでにもいろいろな方法が提案されている。
例えば、特許文献１には、「電線路角度測定器」という名称で、電柱に跨設されたケーブルの両端部の位置によって形成される電線路の角度を測定する際に使用される装置に関する発明が開示されている。
【０００７】
この発明は、透明な合成樹脂によって半円形に成形され、角度情報が付されて中心から半径方向へ向かうように複数の目盛線が表示部に設けられた構造となっている。
このような構造によれば、ケーブルが張架される複数の電柱のうち、一の電柱の外周面に接するように張架されるケーブルの両側部又はケーブルの両側部を電柱に引き留めるための引留部材の位置によって形成される電線路について、その角度を正確に測定することが可能である。
【０００８】
また、特許文献２には、「屈曲角度測定器および屈曲角度測定方法」という名称で、電柱に張架された電線について、その屈曲角度を測定する際に用いられる測定器と、その測定方法に関する発明が開示されている。
この発明に係る「屈曲角度測定器」は、鏡の表面に沿って少なくとも一方が回転可能に設置される２つの直線指標と、この２つの直線指標の相対角度を測定可能な角度計を備えた構造となっている。
このような構造の「屈曲角度測定器」を用いれば、簡単な操作で電線の屈曲角度を正確に測定することができる。
【０００９】
さらに、特許文献３には、「架線支持金具引角度測定器」という名称で、電車線の架線を支持する曲線引角度を測定する装置に関する考案が開示されている。
この「架線支持金具引角度測定器」は、基板の上に重ねられるように設置され、扇形の中心部が共通軸によって回動可能に基板に固定される目盛板と、この目盛板の上に重ねられるように設置されるとともに、基板と目盛板に対して回動可能に上端が共通軸によって固定され、下端に錘片が取り付けられる指針を備えたことを特徴としている。
このような構造によれば、カント（カーブ時における遠心力の影響を少なくするために、レールの内側と外側で頭部上面の高さが異なるように設けられる高低差）角度の影響を排除して、曲線引金具の引角度を正確に測定することができる。
【先行技術文献】
【特許文献】
【００１０】
【特許文献１】特開２０１２−２６８３２号公報
【特許文献２】特開２０１０−３８６３１号公報
【特許文献３】実公昭６１−１６４８２号公報
【発明の概要】
【発明が解決しようとする課題】
【００１１】
特許文献１に記載された発明では、一の電柱の外周面に接するように張架されるケーブルの両端部が水平面と略平行な面内でなす角度については測定できるものの、鉛直方向を示す基準となるものがないため、本発明の測定器を用いて、架空電線を含む鉛直平面と直交する鉛直平面に表されるダブルトーショナルダンパー等の取り付け角度を測定することは困難である。
【００１２】
また、特許文献２に記載された発明は、水平に設置された鏡に映された電線の屈曲角度を測定するものであり、しかも、電線に対して容易に取り付けられる構造ではないため、架空電線に対してダブルトーショナルダンパー等を取り付ける際に、その取り付け角度を測定する補助具として用いることはできない。
【００１３】
さらに、特許文献３に記載された考案は、曲線引金具に直接取り付けて、曲線引金具自体の傾斜を測定するものであるため、架空電線に対するダブルトーショナルダンパー等の取り付け角度の測定には用いることができない。
【００１４】
本発明はかかる従来の事情に対処してなされたものであり、架空電線にダブルトーショナルダンパー等の防振装置を取り付ける際に、その取り付け角度を正確かつ容易に測定することが可能なダンパー取り付け補助装置を提供することを目的とする。
【課題を解決するための手段】
【００１５】
上記目的を達成するため、第１の発明は、蝶番を介して開閉自在に連結される一対の挟持片からなり、閉じた状態で内側に架空電線を配置可能に形成される取付具と、この取付具に一端が回動可能に取り付けられる棒状の錘片と、透明な部材によって形成され、角度を示す目盛が少なくとも片面に設けられ平面視扇形をなす分度器と、を備え、この分度器は、取付具に錘片を取り付けた状態で蝶番の回動軸と直交するように記錘片の側面に取り付けられたことを特徴とするものである。
【００１６】
このような構造のダンパー取り付け補助装置においては、傾斜した架空電線に取り付けられた場合、錘片が揺動して長手方向が鉛直方向に一致するという作用を有する。また、ダンパーの手前に配置された場合でも分度器越しにダンパーの状態が容易に視認されるという作用を有する。
【００１７】
また、第２の発明は、第１の発明において、蝶番の回動軸と直交する平面内に中心軸が配置されるように第１の棒状突起が取付具の外面に設けられ、錘片は、第１の棒状突起に対して掛止可能に第１のフック部が一端に設けられた棒状体からなることを特徴とするものである。
このような構造のダンパー取り付け補助装置においては、第１の棒状突起が水平となるように取付具を架空電線に取り付けることにより、架空電線が傾斜している場合に、長手方向が鉛直方向に一致するように錘片が揺動するという第１の発明の作用が確実に発揮される。
【００１８】
第３の発明は、第２の発明において、第１のフック部と棒状体はそれぞれ別体として形成され、第１のフック部の回動軸と直交する平面内に中心軸が配置されるように第２の棒状突起が第１のフック部の外面に設けられ、第２の棒状突起に対して掛止可能に第２のフック部が棒状体の一端に設けられたことを特徴とするものである。
このような構造のダンパー取り付け補助装置においては、第２の発明の作用に加え、架空電線の中心軸を含む鉛直平面に対して、蝶番の回動軸と架空電線の中心軸を含む平面が傾いた状態で架空電線に取付具が取り付けられた場合、錘片が第２の棒状突起を中心として揺動することにより、棒状体の長手方向が鉛直方向と一致するという作用を有する。
【００１９】
第４の発明は、第３の発明において、棒状体に沿ってスライド自在に錘片に外挿される筒体を備え、分度器は錘片の代わりに筒体の側面に取り付けられたことを特徴とするものである。
このような構造のダンパー取り付け補助装置においては、第３の発明の作用を有することに加え、錘片の棒状体に沿って筒体をスライドさせると、分度器の目盛の高さが変化するという作用を有する。
【００２０】
第５の発明は、第１の発明乃至第４の発明のいずれかにおいて、弾性体からなり、取付具によって挟持された架空電線に対して接触可能に一対の挟持片の内面に設置される押さえ具を備えたことを特徴とするものである。
このような構造のダンパー取り付け補助装置においては、第１の発明乃至第４の発明のいずれかの作用に加え、架空電線が直接、挟持片に接触することがないため、傷付き難く、また、架空電線との間に大きな摩擦力が発生するため、取付具が架空電線に対して滑り難いという作用を有する。
【発明の効果】
【００２１】
第１の発明では、鉛直方向を示す指標として錘片を用いることができるため、錘片と分度器の目盛を利用することで、架空電線に対するダンパーの取り付け角度を正確かつ容易に読み取ることが可能である。
【００２２】
第２の発明によれば、傾斜した状態の架空電線に取り付けられた場合でも錘片の長手方向が正確に鉛直方向を示すことから、架空電線に対するダンパーの取り付け角度を正確に読み取ることができるという第１の発明の効果が確実に発揮される。
【００２３】
第３の発明によれば、第２の発明の効果に加え、架空電線の中心軸を含む鉛直平面に対して、蝶番の回動軸と架空電線の中心軸を含む平面が傾いた状態で架空電線に取付具が取り付けられた場合でも錘片の長手方向が正確に鉛直方向を示すことから、架空電線に対するダンパーの取り付け角度を正確に読み取ることができるという効果を奏する。
【００２４】
架空電線の傾斜の程度によっては、ダンパーのクランプが取り付けられた部分の架空電線の高さと、取付具によって挟持された部分の架空電線の高さが大きく異なり、分度器の目盛がダンパーの取り付け角度の読み取りに適した箇所に配置されないおそれがある。これに対し、第４の発明では、分度器の目盛がダンパーの取り付け角度の読み取りに適した箇所に配置されるように、筒体を錘片の棒状体に対してスライドさせることにより、分度器の高さを調節可能となっている。したがって、第４の発明によれば、第３の発明の効果に加え、架空電線が傾斜している場合でも、分度器の目盛を正確に読み取ることができるという効果を奏する。
【００２５】
第５の発明によれば、第１の発明乃至第４の発明のいずれかの効果に加え、架空電線に対する取付状態が安定するとともに、取付時の安全性が高まるという効果を奏する。
【図面の簡単な説明】
【００２６】
【図１】（ａ）及び（ｂ）は本発明の実施の形態に係るダンパー取り付け補助装置の一例の外観を示す正面図であり、（ｂ）は同図（ａ）において取付具を部分的に拡大した図である。
【図２】本発明の実施の形態に係るダンパー取り付け補助装置の実施例１の外観を示す側面図である。
【図３】実施例１のダンパー取り付け補助装置とダブルトーショナルダンパーが架空電線に取り付けられた状態を模式的に示した図である。
【図４】（ａ）は図３においてダンパー取り付け補助装置とダブルトーショナルダンパーが取り付けられた箇所を部分的に拡大した図であり、（ｂ）は同図（ａ）におけるＢ方向矢視図である。
【図５】（ａ）は本発明の実施の形態に係るダンパー取り付け補助装置の実施例２の外観を示す正面図であり、（ｂ）は同図（ａ）におけるＣ−Ｃ線矢視断面図である。
【図６】（ａ）及び（ｂ）はそれぞれ実施例２のダンパー取り付け補助装置の外観を示す側面図であり、（ｂ）は同図（ａ）において環状部を拡大して示した図である。
【図７】（ａ）は実施例２のダンパー取り付け補助装置とダブルトーショナルダンパーが架空電線に取り付けられた状態を模式的に示した図であり、（ｂ）は同図（ａ）におけるＧ方向矢視図である。
【図８】（ａ）及び（ｂ）はそれぞれダブルトーショナルダンパーの正面図及び側面図である。
【図９】ダブルトーショナルダンパーが架空電線に取り付けられた状態を模式的に示した図である。
【発明を実施するための形態】
【００２７】
本発明のダンパー取り付け補助装置について、図１〜図７を用いて説明する。なお、以下の説明はダブルトーショナルダンパー以外のダンパー、例えば、クロスワイヤダンパーを架空電線に取り付ける場合にも同様に当てはまる。すなわち、本発明のダンパー取り付け補助装置は、架空電線に対して所定の取り付け角度をもって設置される各種の防振装置（ダンパー）に対して適用可能である。
【実施例１】
【００２８】
図１（ａ）及び図２はそれぞれ本発明の実施の形態に係るダンパー取り付け補助装置の一例の外観を示す正面図及び側面図であり、図１（ｂ）は図１（ａ）において取付具４を部分的に拡大した図である。また、図３は本実施例のダンパー取り付け補助装置１ａとダブルトーショナルダンパー５０が架空電線５４に取り付けられた状態を模式的に示した図である。さらに、図４（ａ）は図３においてダンパー取り付け補助装置１ａとダブルトーショナルダンパー５０が取り付けられた箇所を部分的に拡大した図であり、図４（ｂ）は図４（ａ）におけるＢ方向矢視図である。
なお、図８及び図９に示した構成要素については、同一の符号を付してその説明を省略する。
【００２９】
図１及び図２に示すように、ダンパー取り付け補助装置１ａは、蝶番２を介して開閉自在に連結される一対の挟持片３，３からなり、架空電線５４を挟持可能に形成される取付具４と、この取付具４に対して掛止可能に一対のフック部９ａ，９ａが一端に設けられた錘片５と、角度を示す数値６ａとともに目盛６ｂが少なくとも片面に設けられた一対の分度器６，６を備えている。
なお、分度器６，６は、透明な部材によって平面視扇形をなすように形成され、錘片５を中心として対称にその両側へ羽根を広げるように、錘片５の側面にそれぞれ取り付けられている。
【００３０】
蝶番２を中心として回動する一対の挟持片３，３は、互いの形状が略同一であり、閉じた状態で横断面（長手方向に直交する断面）がＵ字状をなし、内側に架空電線５４を配置可能に形成されている。そして、外面３ａには突起７が立設され、内面３ｂに複数の押さえ具８が設置されている。
すなわち、取付具４は、挟持片３，３が開いた状態で内側に配置された架空電線５４を、挟持片３，３を閉じることにより、押さえ具８を介して挟持する構造となっている。また、突起７，７は棒状をなし、挟持片３，３によって架空電線５４を挟持した際に、それらの中心軸が架空電線５４の中心軸とそれぞれ直交し、かつ、同一直線上に配置されるように、挟持片３，３の外面３ａ，３ａに設けられている。
なお、合成ゴムや合成樹脂等の弾性体からなる押さえ具８は、架空電線５４が直接、挟持片３と接触して傷付くことを防ぐとともに、架空電線５４との間の摩擦力を大きくして取付具４を架空電線５４に対して滑り難くするという機能を有している。これにより、架空電線５４に対する取付状態が安定するとともに、取付時の安全性が高まる。
【００３１】
錘片５は、両端にフック部９ａ，９ａが設けられたＵ字体９と、このＵ字体９と一体的に形成され、一端に環状部１０ａが設けられた棒状体１０からなり、全体として刺又状をなしている。なお、環状部１０ａは、錘片５の重量不足を補う目的で別の錘片を吊るす際に用いられるものである。
また、取付部４は挟持片３，３を閉じると、Ｕ字体９の内側に配置可能であり、フック部９ａ，９ａは、Ｕ字体９の内側に配置された取付具４の突起７，７に対して、それぞれ直交した状態で同時に掛止可能となっている。なお、錘片５は、架空電線５４に取り付けられた取付具４にＵ字体９が取り付けられた際に、棒状体１０の中心軸が架空電線５４の中心軸と略交差するように形成されている。
【００３２】
分度器６，６は、取付具４に錘片５を取り付けた場合に、挟持片３，３の回動軸と直交するように錘片５の側面にそれぞれ取り付けられている。なお、架空電線５４を中心として放射状に設けられる目盛６ｂは、棒状体１０に垂直な方向を０°とし、棒状体１０に沿ってＵ字体９から環状部１０ａへ向かう方向を９０°とした場合の棒状体１０からの開き具合を３０°〜９０°の範囲について示すものである。
【００３３】
このような構造のダンパー取り付け補助装置１ａにおいては、挟持片３，３で挟持するようにして架空電線５４に取り付けた取付具４に対し、突起７，７にフック部９ａ，９ａをそれぞれ掛止させるようにして、錘片５を取り付けると、Ｕ字体９によって挟持片３，３の回動が拘束され、挟持片３，３によって架空電線５４が挟持された状態が維持される。すなわち、錘片５は、取付具４を架空電線５４に固定し、ダブルトーショナルダンパー５０の取り付け作業中に架空電線５４からダンパー取り付け補助装置１ａが脱落することを防ぐという作用を有する。
【００３４】
また、図２に矢印Ａで示すように、錘片５は突起７を中心として揺動可能となっている。したがって、図３に示すように、ダンパー取り付け補助装置１ａを架空電線５４に取り付ける際に、もし、架空電線５４が傾斜していたとしても、突起７，７が水平となるように取付具４が架空電線５４に取り付けられていれば、錘片５が突起７，７を中心として揺動することにより、図４（ａ）に示すように、その長手方向と鉛直方向が一致するという作用を有する。この場合、鉛直方向を示す指標として錘片５を用いることができる。
【００３５】
さらに、分度器６は透明な部材で形成されているため、図４（ｂ）に示すように、ダブルトーショナルダンパー５０の手前にダンパー取り付け補助装置１ａを配置した場合でも分度器６越しにダブルトーショナルダンパー５０の状態を容易に確認できる。そして、このようにすれば、目盛６ｂによって、架空電線５４に対するダブルトーショナルダンパー５０の取り付け角度を正確に読み取ることができる。
すなわち、本発明のダンパー取り付け補助装置１ａによれば、架空電線５４に対するダブルトーショナルダンパー５０の取り付け角度を正確かつ容易に測定することが可能である。
【実施例２】
【００３６】
図５（ａ）及び図６（ａ）はそれぞれ本発明の実施の形態に係るダンパー取り付け補助装置の一例の外観を示す正面図及び側面図であり、図５（ｂ）は図５（ａ）におけるＣ−Ｃ線矢視断面図であり、図６（ｂ）は図６（ａ）において環状部１０ａを拡大して示した図である。また、図７（ａ）は図３においてダンパー取り付け補助装置１ａの代わりにダンパー取り付け補助装置１ｂを取り付けた場合のダンパー取り付け補助装置１ｂとダブルトーショナルダンパー５０の側面図であり、図７（ｂ）は図７（ａ）におけるＧ方向矢視図である。
なお、図７（ａ）及び図７（ｂ）はそれぞれ図４（ａ）及び図４（ｂ）に対応している。また、図１〜図４に示した構成要素については、同一の符号を付してその説明を省略する。
【００３７】
図５及び図６に示すように、本実施例のダンパー取り付け補助装置１ｂは、実施例１のダンパー取り付け補助装置１ａにおいて、Ｕ字体９と棒状体１０が一体的に形成される代わりにそれぞれ別体として形成され、Ｕ字体９に対して掛止可能な一対のフック部１１ａ，１１ａを有するＵ字体１１が棒状体１０の一端に設けられるとともに、棒状体１０の他端に環状部１０ａが設けられる代わりに環状体１２が取り付けられている。また、環状体１２は雄ネジ部１２ａを有しており、この雄ネジ部１２ａが棒状体１０の上記他端に設けられたネジ孔（図示せず）に螺入されることで棒状体１０に連結される構造となっている。
【００３８】
さらに、Ｕ字体９の外面９ｂには突状部９ｃが立設され、この突状部９ｃにはＵ字体９を取付具４に取り付けた際に挟持片３の回動軸と平行をなすように一対の突起１３，１３が設けられている。そして、Ｕ字体１１のフック部１１ａ，１１ａは、この一対の突起１３，１３に対して、それぞれ直交した状態で同時に掛止可能となっている。なお、棒状体１０の中心軸が架空電線５４の中心軸と略交差するように突起１３，１３は配置されている。
【００３９】
また、四角柱状をなす棒状体１０には、貫通孔の断面が矩形状をなす円筒状の筒体１４がスライド自在に外挿されており、筒体１４が棒状体１０に対して、その長手方向に平行な軸を中心として回動することを防ぐ構造となっている。そして、分度器６，６は錘片５の側面に取り付けられる代わりに、取付具４に錘片５を取り付けた状態で挟持片３，３の回動軸と直交するように筒体１４の側面にそれぞれ取り付けられている。さらに、棒状体１０は、筒体１４が外挿された箇所と環状体１２が取り付けられる端部との間において、外周面に雄ネジ部１０ｂが形成されており、この雄ネジ部１０ｂにはナット１５が螺合している。
【００４０】
このような構造のダンパー取り付け補助装置１ｂにおいては、挟持片３，３で挟持するようにして架空電線５４に取り付けた取付具４に対し、突起７，７にフック部９ａ，９ａをそれぞれ掛止させるようにして、錘片５を取り付けると、ダンパー取り付け補助装置１ａの場合と同様に、錘片５が、取付具４を架空電線５４に固定し、ダブルトーショナルダンパー５０の取り付け作業中に架空電線５４からダンパー取り付け補助装置１ｂが脱落することを防ぐという作用を有する。
【００４１】
図５（ａ）に矢印Ｄで示すように、錘片５の棒状体１０は突起１３を中心として揺動可能であるとともに、図６（ａ）に矢印Ｆで示すように、錘片５は突起７を中心として揺動可能となっている。したがって、図３において、ダンパー取り付け補助装置１ａの代わりに、ダンパー取り付け補助装置１ｂを架空電線５４に取り付けた場合、仮に、架空電線５４が傾斜していたとしても、錘片５が突起７，７を中心として揺動することにより、図７（ａ）に示すように、錘片５は架空電線５４を含む鉛直平面Ｌ１（図７（ｂ）参照）と直交する鉛直平面Ｌ２内に配置される。
【００４２】
また、図７（ｂ）に示すように、蝶番２の回動軸と架空電線５４の中心軸を含む平面Ｌ３が鉛直平面Ｌ１に対して傾いた状態で取付具４が架空電線５４に取り付けられた場合、錘片５の棒状体１０が突起１３，１３を中心として揺動することにより、棒状体１０の長手方向は鉛直方向と一致する。したがって、鉛直方向を示す指標として錘片５の棒状体１０を用いることができる。
【００４３】
さらに、分度器６は透明な部材で形成されているため、図７（ｂ）に示すように、ダブルトーショナルダンパー５０の手前にダンパー取り付け補助装置１ｂを配置した場合でも、ダンパー取り付け補助装置１ａの場合と同様に、分度器６越しにダブルトーショナルダンパー５０の状態を容易に確認することができる。
【００４４】
なお、分度器６の目盛６ｂは、挟持片３，３に挟持された部分の架空電線５４を中心として放射状に設けられているため、架空電線５４の傾斜の程度によっては、ダブルトーショナルダンパー５０のクランプ５１が取り付けられた部分の架空電線５４の高さと、挟持片３，３に挟持された部分の架空電線５４の高さが大きく異なり、分度器６の目盛６ｂがダブルトーショナルダンパー５０の取り付け角度の読み取りに適した箇所に配置されないおそれがある。
【００４５】
これに対し、ダンパー取り付け補助装置１ｂでは、図５（ａ）に矢印Ｅで示すように、筒体１４が錘片５の棒状体１０に沿ってスライド可能であるため、ナット１５を回動すると、棒状体１０に対する筒体１４の下端の位置が変化する。すなわち、ダンパー取り付け補助装置１ｂは、目盛６ｂがダブルトーショナルダンパー５０の取り付け角度の読み取りに適した箇所に配置されるように、筒体１４を棒状体１０に対してスライドさせて分度器６，６の高さを調節できる構造となっている。
【００４６】
このように、ダンパー取り付け補助装置１ｂでは、架空電線５４が傾斜していたり、取付具４が架空電線５４に対して傾いた状態で取り付けられていたりした場合でも錘片５が正確に鉛直方向を示すとともに、分度器６の目盛６ｂが読み取り易いため、ダンパー取り付け補助装置１ａよりもさらに正確かつ容易に、ダブルトーショナルダンパー５０の架空電線５４に対する取り付け角度を測定することが可能である。
【００４７】
本実施例では、筒体１４が円筒状をなしているが、このような形状に限られない。例えば、筒体１４は角柱状であっても良い。また、棒状体１０も四角柱以外の角柱とするとともに、筒体１４の貫通孔の断面を棒状体１０の断面と同一形状にすることもできる。さらに、棒状体１０を円筒にするとともに、筒体１４の貫通孔の断面を円形としても良い。ただし、この場合には、筒体１４が棒状体１０に対して、その長手方向に平行な軸を中心として回動することを防ぐような構造を別途設けることが望ましい。
【００４８】
また、錘片５を鉛直方向と平行に設置した際に、筒体１４が自重によって棒状体１０から滑り落ちるおそれがない場合には、棒状体１０の雄ネジ部１０ｂとナット１５を備えない構造としても良い。
なお、本実施例では、棒状体１０へのナット１５の取り付けを容易にするために、環状体１２が棒状体１０に対して着脱可能に取り付けられる構造としているが、棒状体１０にナット１５を取り付けないのであれば、環状体１２は棒状体１０に対して着脱可能になっていなくとも良い。あるいは、環状体１２を備えない構造であっても良い。同様に、実施例１のダンパー取り付け補助装置１ａにおいても、棒状体１０に環状部１０ａを設けない構造としても良い。
さらに、ダンパー取り付け補助装置１ｂでは、筒体１４を備える代わりに、分度器６，６が棒状体１０の側面に直接取り付けられた構造とすることもできる。
【産業上の利用可能性】
【００４９】
本発明は、架空電線にダブルトーショナルダンパー等の防振装置を取り付ける際に利用可能である。
【符号の説明】
【００５０】
１ａ，１ｂ…ダンパー取り付け補助装置  ２…蝶番  ３…挟持片  ３ａ…外面  ３ｂ…内面  ４…取付具  ５…錘片  ６…分度器  ６ａ…数値  ６…目盛  ７…突起  ８…押さえ具  ９…Ｕ字体  ９ａ…フック部  ９ｂ…外面  ９ｃ…突状部  １０…棒状体  １０ａ…環状部  １０ｂ…雄ネジ部  １１…Ｕ字体  １１ａ…フック部  １２…環状体  １２ａ…雄ネジ部  １３…突起  １４…筒体  １５…ナット  ５０…ダブルトーショナルダンパー  ５１…クランプ  ５２…抑止線  ５３…重錘  ５４…架空電線  ５５…鉄塔
【図１】
2018072047.tif 000003
【図２】
2018072047.tif 000004
【図３】
2018072047.tif 000005
【図４】
2018072047.tif 000006
【図５】
2018072047.tif 000007
【図６】
2018072047.tif 000008
【図７】
2018072047.tif 000009
【図８】
2018072047.tif 000010
【図９】
2018072047.tif 000011